(57)【要約】【課題】薬剤オーダの設定における人為的ミスを防止すること。【解決手段】第１の取得部としての薬剤オーダ取得部１１０は、複数の輸液ポンプ２１０〜２８０のいずれかに対して指示される第１の投与速度または投与量を取得する。第２の取得部としての監視部１３０は、複数の輸液ポンプ２１０〜２８０のいずれかにおいて設定または計測される第２の投与速度または投与量を取得する。警報部１５０は、第２の投与速度が第１の投与速度に比して異常を呈する場合、または第２の投与量が第１の投与量に比して異常を呈する場合に、警報を発する。【選択図】図１
2008099977.tif 000002
【特許請求の範囲】
【請求項１】
複数の輸液ポンプをモニタリングすることができる輸液ポンプモニタリング装置であって、
前記複数の輸液ポンプのいずれかに対して指示される第１の投与速度または投与量を取得する第１の取得部と、
前記いずれかの輸液ポンプにおいて設定または計測される第２の投与速度または投与量を取得する第２の取得部と、
前記第２の投与速度が前記第１の投与速度に比して異常を呈する場合、または前記第２の投与量が前記第１の投与量に比して異常を呈する場合に、警報を発する警報部と、
を具備することを特徴とする輸液ポンプモニタリング装置。
【請求項２】
前記警報部は、前記第２の投与速度が前記第１の投与速度と異なる場合に、警報を発する、
ことを特徴とする請求項１記載の輸液ポンプモニタリング装置。
【請求項３】
前記警報部は、前記第２の投与量が前記第１の投与量を超過した場合に、警報を発する、
ことを特徴とする請求項１記載の輸液ポンプモニタリング装置。
【請求項４】
前記警報部は、前記第２の投与速度が投与速度の上限値を超過した場合、または前記第２の投与量が投与量の上限値を超過した場合に、警報を発する、
ことを特徴とする請求項１記載の輸液ポンプモニタリング装置。
【請求項５】
前記第２の投与速度が変更された場合に、該変更の認証を要求する認証要求部、をさらに具備する、
ことを特徴とする請求項１記載の輸液ポンプモニタリング装置。
【請求項６】
前記第１の投与速度および投与量、ならびに前記第２の投与速度および投与量を、前記複数の輸液ポンプのそれぞれについて表示可能な表示部、をさらに具備する、
ことを特徴とする請求項１乃至請求項５のいずれかに記載の輸液ポンプモニタリング装置。
【発明の詳細な説明】
【技術分野】
【０００１】
本発明は、患者に対して薬剤を投与する輸液ポンプをモニタリングする輸液ポンプモニタリング装置に関する。
【背景技術】
【０００２】
一般に、ＩＣＵ（Intensive Care Unit）などの急性期医療部門システムでは、患者に対して持続的に薬剤を投与するために、輸液ポンプ機器が使用されている（例えば、特許文献１参照）。１人の患者に接続される輸液ポンプ機器は複数であることが多く、これら複数の輸液ポンプ機器のそれぞれから患者に対して薬剤が投与される。
【０００３】
輸液ポンプ機器から患者への薬剤の投与は、医師が発行する薬剤オーダによって指示される。薬剤オーダにより、例えば、投与開始時刻（終了時刻）、投与ルート（部位）、投与薬剤名、投与速度（流量）、および投与合計量（予定量）が指定される。薬剤オーダを実施する場合、オーダ実施者（一般には、看護師）は、まず、薬剤オーダの内容を確認した上で、指定開始時刻に、指定薬剤を輸液ポンプ機器に装着し、指定ルート、指定速度および指定合計量を輸液ポンプ機器に設定して、注入開始スイッチを押す。そして、オーダ実施者は、薬剤が正常に注入されているか（漏れまたは閉塞がないか）を、目視で確認する。
【特許文献１】特開２００２−０５８７３８号公報
【発明の開示】
【発明が解決しようとする課題】
【０００４】
しかしながら、従来の輸液ポンプ機器にあっては、たとえ医師が的確な薬剤オーダを発行しても、発行された薬剤オーダの設定における人為的ミスが起こりうるという問題がある。この人為的ミスは、例えば、流量と予定量とを反対に入力したり、流量の桁または単位を間違えて入力したりすることによる薬剤の過剰送液および過少送液である。特に、薬剤の過剰送液は、その種類によっては患者を死に至らしめる恐れもあり、細心の注意を払うべき事項である。
【０００５】
本発明は、かかる点に鑑みてなされたものであり、薬剤オーダの設定における人為的ミスを防止することができる輸液ポンプモニタリング装置を提供することを目的とする。
【課題を解決するための手段】
【０００６】
本発明の輸液ポンプモニタリング装置は、複数の輸液ポンプをモニタリングすることができる輸液ポンプモニタリング装置であって、前記複数の輸液ポンプのいずれかに対して指示される第１の投与速度または投与量を取得する第１の取得部と、前記いずれかの輸液ポンプにおいて設定または計測される第２の投与速度または投与量を取得する第２の取得部と、前記第２の投与速度が前記第１の投与速度に比して異常を呈する場合、または前記第２の投与量が前記第１の投与量に比して異常を呈する場合に、警報を発する警報部と、を具備する構成を採る。
【発明の効果】
【０００７】
本発明によれば、薬剤オーダの設定における人為的ミスを防止することができる。
【発明を実施するための最良の形態】
【０００８】
以下、本発明の実施の形態について、図面を参照して詳細に説明する。
【０００９】
図１は、本発明の一実施の形態に係る輸液ポンプモニタリング装置１００、および輸液ポンプモニタリング装置１００によってモニタリングされる輸液ポンプ機器２００の構成を示すブロック図である。
【００１０】
輸液ポンプモニタリング装置１００と輸液ポンプ機器２００とは、伝送路Ｌを介して接続されている。この伝送路Ｌは、例えば、光ファイバケーブルなどの有線伝送路、または電磁波や光波などを利用する無線伝送路である。伝送路Ｌによって、輸液ポンプモニタリング装置１００と輸液ポンプ機器２００との間におけるオンラインの連携が実現可能となる。
【００１１】
輸液ポンプモニタリング装置１００および輸液ポンプ機器２００は、例えば、ＩＣＵなどの急性期医療部門システムにおいて使用されうる。また、輸液ポンプモニタリング装置１００は、例えば、ナースステーションや手術室、ＣＣＵ（Coronary Care Unit）、ＮＩＣＵ（Neonatal Intensive Care Unit）などの他の診療部門情報システム（ＣＩＳ：Clinical Information System）と接続されるとともに、専用サーバを介して、病院情報システム（ＨＩＳ：Hospital Information System）と接続される形態を採ることができる。
【００１２】
輸液ポンプモニタリング装置１００は、薬剤オーダ取得部１１０、薬剤オーダ保持部１２０、監視部１３０、照合部１４０、警報部１５０、認証要求部１６０、および表示部１７０を具備する。輸液ポンプ機器２００は、８つの輸液ポンプ２１０，２２０，２３０，２４０，２５０，２６０，２７０，２８０を含む。
【００１３】
第１の取得部としての薬剤オーダ取得部１１０は、患者への薬剤投与に関する指示情報である薬剤オーダを取得する。薬剤オーダ取得部１１０は、取得された薬剤オーダを、薬剤オーダ保持部１２０および表示部１７０に出力する。薬剤オーダは、複数の輸液ポンプ、ここでは輸液ポンプ２１０〜２８０のいずれかに対して指示される薬剤の投与速度および投与量（第１の投与速度および投与量）を含む。薬剤オーダは、この他にも、例えば、薬剤の投与開始時刻や投与ルート、薬剤名などの各種の情報を含みうる。なお、薬剤オーダは、例えば、薬剤オーダ発行者（一般には、医師）によるキーボードなどの入力手段（図示せず）の操作によって取得される。
【００１４】
薬剤オーダ保持部１２０は、薬剤オーダ取得部１１０から入力された薬剤オーダを、輸液ポンプ２１０〜２８０のいずれかと対応付けた状態で保持する。すなわち、薬剤オーダ保持部１２０は、薬剤オーダ取得部１１０から入力された薬剤オーダを、輸液ポンプ２１０〜２８０のいずれかにおいて実施されるべき薬剤オーダとして認識している。薬剤オーダ保持部１２０は、保持される薬剤オーダを、輸液ポンプとの対応関係とともに、照合部１４０および表示部１７０に出力する。薬剤オーダと輸液ポンプとの対応付け（リンク実施）は、例えば、薬剤オーダ発行者または薬剤オーダ実施者（一般には、看護師）による入力手段の操作（例えば、表示部１７０上におけるドラッグアンドドロップまたはダブルクリック）によって行われうる。この対応付け（リンク）処理については、後で例示をしつつ詳細に説明する。
【００１５】
第２の取得部としての監視部１３０は、輸液ポンプ２１０〜２８０において設定または計測された薬剤の投与速度および投与量を、伝送路Ｌを介して監視する。すなわち、監視部１３０は、薬剤オーダにより投与速度および投与量が指示された輸液ポンプにおいて設定または計測された投与速度および投与量（第２の投与速度および投与量）を取得する。監視部１３０は、取得された薬剤の投与速度および投与量を、照合部１４０および表示部１７０に出力する。また、監視部１３０は、取得された薬剤の投与速度、つまり輸液ポンプにおいて設定または計測された投与速度が変更された場合に、この変更の認証要求を発する旨の指示信号を、認証要求部１６０に対して出力する。なお、監視部１３０は、輸液ポンプ２１０〜２８０の動作状況、例えば電源のオンオフなどを包括的に監視することもできる。
【００１６】
照合部１４０は、薬剤オーダ保持部１２０から入力された薬剤オーダにより指示される薬剤の投与速度および投与量（第１の投与速度および投与量）と、監視部１３０から入力された、輸液ポンプにおいて設定または計測された薬剤の投与速度および投与量（第２の投与速度および投与量）とを照合する。より具体的には、照合部１４０は、輸液ポンプ２１０〜２８０のそれぞれについて、薬剤オーダにより指示された投与速度と、設定または計測された投与速度とが等しいか否か、および薬剤オーダにより指示された投与量と、設定または計測された投与量とが等しいか否かを照合する。照合部１４０は、この照合結果を、警報部１５０に出力する。
【００１７】
警報部１５０は、照合部１４０から入力された照合結果を解析する。警報部１５０は、解析の結果、輸液ポンプ２１０〜２８０のいずれかにおいて、設定もしくは計測された投与速度が薬剤オーダにより指示された投与速度に比して異常を呈する場合、または設定もしくは計測された投与量が薬剤オーダにより指示された投与量に比して異常を呈する場合に、例えば、表示部１７０に警報を表示させることにより警報を発する。
【００１８】
より具体的には、警報部１５０は、設定もしくは計測された投与速度が薬剤オーダにより指示された投与速度と異なる場合、または設定もしくは計測された投与量が薬剤オーダにより指示された投与量を超過した場合に警報を発する。また、警報部１５０は、設定もしくは計測された投与速度が薬剤ごとに定められる投与速度の上限値を超過した場合、または設定もしくは計測された投与量が薬剤ごとに定められる投与量の上限値を超過した場合に警報を発する。
【００１９】
このように、警報部１５０が設定または計測された薬剤の投与速度または投与量の値の異常が検出された場合に警報を発することにより、この警報を報知された薬剤オーダ発行者または薬剤オーダ実施者は、薬剤オーダの実施において、例えば自身の人為的な設定ミスが発生していることを知ることができる。すなわち、薬剤オーダ発行者または薬剤オーダ実施者に対して、設定済みの薬剤の投与速度または投与量の確認が促され、且つ必要に応じてこれらの再設定が要求されることになる。
【００２０】
認証要求部１６０は、監視部１３０から入力された指示信号に従って、輸液ポンプ２１０〜２８０のいずれかにおいて設定または計測された薬剤の投与速度の変更の認証を要求する旨の認証要求を、表示部１７０に表示させる。認証要求部１６０による認証要求処理については、後に詳細に説明する。
【００２１】
表示部１７０は、例えばＬＣＤ（Liquid Crystal Display）やＣＲＴ（Cathode Ray Tube）などの表示装置である。表示部１７０は、薬剤オーダ取得部１１０からの薬剤オーダ、薬剤オーダ保持部１２０からの薬剤オーダと輸液ポンプとの対応関係、および監視部１３０からの設定または計測された投与速度および投与量を表示する。また、表示部１７０は、警報部１５０からの指示信号に従って警報を表示したり、認証要求部１６０からの指示信号に従って認証要求を表示したりする。表示部１７０で表示されるこれらの情報は、例えば、薬剤オーダ実施者による入力手段の操作によって、適宜変更または切替が可能である。
【００２２】
輸液ポンプ２１０〜２８０は、投与薬剤がセットされた状態で、輸液チューブ（図示せず）を挟み込み、この輸液チューブに連続的または間欠的に圧力を加えることによって、患者に薬剤を投与する。輸液ポンプ２１０〜２８０は、それぞれ独立して制御可能である。例えば、輸液ポンプ２１０〜２８０は、それぞれ、投与薬剤、投与速度、投与量、投与時刻または投与ルートを、他の輸液ポンプから独立して設定することができる。これにより、１人の患者に対して、投与方法の異なる複数種類の薬剤を同時に投与することが可能になる。なお、輸液ポンプ２１０〜２８０は、上記した形態の他にも、薬剤を充填したシリンジの押し子を連続的または間欠的に押し出すことによって患者に薬剤を投与するシリンジポンプなどを含みうる。
【００２３】
輸液ポンプ２１０〜２８０は、それぞれ、自身において設定された薬剤の投与速度および投与量を知ることができる。同様に、輸液ポンプ２１０〜２８０は、それぞれ、自身において計測された薬剤の投与速度および投与量を知ることができる。輸液ポンプ２１０〜２８０は、自身において設定または計測される薬剤の投与速度および投与量を、伝送路Ｌを介して、輸液ポンプモニタリング装置１００の監視部１３０に送信する。
【００２４】
通常、設定された投与速度と計測された投与速度は同一の値であり、設定された投与量と計測された投与量は同一の値であるが、各輸液ポンプは、輸液ポンプモニタリング装置１００の設定や動作環境などに柔軟に対応するために、これらの双方を送信することが好ましい。
【００２５】
以上、輸液ポンプモニタリング装置１００および輸液ポンプ機器２００の構成について説明した。
【００２６】
ここで、薬剤オーダ取得部１１０で取得された薬剤オーダを、輸液ポンプ２１０〜２８０のいずれかと対応付ける処理について、図２および図３を用いて説明する。
【００２７】
図２および図３は、薬剤オーダと輸液ポンプとの対応付け処理時における表示部１７０の一例を示す図である。
【００２８】
図２に示すように、薬剤オーダ取得部１１０で取得された薬剤オーダは、表示部１７０に一覧表示される。薬剤オーダ発行者または薬剤オーダ実施者は、例えば、一覧表示された薬剤オーダを、入力手段を用いてドラッグアンドドロップまたはダブルクリックすることによって、輸液ポンプのいずれかと対応付けることができる。この例では、“入室時”に“Ｖｅｅｎ  Ｆ”を“５００ｍＬ”の投与量かつ“５０ｍＬ／ｈ”の投与速度で投与する旨の薬剤オーダが、“Ｐｕｍｐ００３  Ａ”の輸液ポンプと対応付けられている。
【００２９】
薬剤オーダのドラッグアンドドロップまたはダブルクリックが行われると、表示部１７０には、図３に示すような確認画面ポップアップが表示される。薬剤オーダ発行者または薬剤オーダ実施者は、まず、薬剤オーダにより指示される薬剤名、投与量および投与方法（投与速度を含む）を確認する。これらの設定値は変更不可である。次いで、薬剤オーダ発行者または薬剤オーダ実施者は、薬剤の投与ルートを設定し、投与開始時刻（デフォルトは、例えばデータ取得開始時刻）を確認し、ポンプを確認した上で、薬剤オーダと輸液ポンプとの対応付け（リンク実施）を実行する。
【００３０】
以上、薬剤オーダ取得部１１０で取得された薬剤オーダを、輸液ポンプ２１０〜２８０のいずれかと対応付ける処理について説明した。
【００３１】
以下、上述のように構成された輸液ポンプモニタリング装置１００および輸液ポンプ機器２００の動作について、図４を用いて説明する。
【００３２】
図４は、輸液ポンプモニタリング装置１００による輸液ポンプ機器２００のモニタリング処理の一例を示すフローチャートである。ここでは、輸液ポンプ２１０〜２８０のうち輸液ポンプ２１０において設定される薬剤の投与速度および投与量をモニタリングする場合を例にとって説明する。なお、ここで説明する輸液ポンプ機器のモニタリング処理は一例であり、この手順に含まれる工程およびその順番などは、種々変更可能である。
【００３３】
まず、薬剤オーダ取得部１１０は、例えば薬剤オーダ発行者の入力手段の操作により、輸液ポンプ２１０に対して指示される薬剤の投与速度および投与量を含む薬剤オーダを取得する（Ｓ１）。
【００３４】
次いで、薬剤オーダ保持部１２０は、例えば薬剤オーダ発行者の入力手段の操作により、薬剤オーダ取得部１１０で取得された薬剤オーダと、輸液ポンプ２１０とのリンクを実施する（Ｓ２）。すなわち、薬剤オーダ保持部１２０は、薬剤オーダ取得部１１０で取得された薬剤オーダを、輸液ポンプ２１０で実施されるべき薬剤オーダとして認識する。輸液ポンプ２１０とリンクされた薬剤オーダは、照合部１４０に出力される。
【００３５】
このように、薬剤オーダ取得部１１０で取得された薬剤オーダが輸液ポンプ２１０とリンクされると、輸液ポンプ２１０のモニタリングが開始される（Ｓ３）。
【００３６】
次いで、薬剤オーダ実施者は、薬剤オーダ取得部１１０で取得された薬剤オーダに従って、輸液ポンプ２１０における薬剤の投与速度および投与量を設定する（Ｓ４）。輸液ポンプ２１０に設定された薬剤の投与速度および投与量は、伝送路Ｌを介して、輸液ポンプモニタリング装置１００の監視部１３０に送信され、照合部１４０に出力される。
【００３７】
次いで、照合部１４０は、輸液ポンプ２１０に設定された投与速度または投与量が、輸液ポンプ２１０にリンクされた薬剤オーダに比して異常を呈するか否かを照合する（Ｓ５）。
【００３８】
照合の結果、輸液ポンプ２１０に設定された投与速度または投与量が、輸液ポンプ２１０にリンクされた薬剤オーダに比して異常を呈している場合（Ｓ５：ＹＥＳ）、警報部１５０は、表示部１７０に警報を表示させることにより警報を発する（Ｓ６）。これにより、薬剤オーダ発行者または薬剤オーダ実施者に対して、薬剤オーダが適正に実施されていない、つまり輸液ポンプ２１０における投与速度または投与量が誤って設定されている旨の注意喚起を促すことができる。
【００３９】
この警報を検知した薬剤オーダ実施者が、輸液ポンプ２１０における薬剤の投与速度および投与量を適正値、つまり薬剤オーダにより指示される値に再設定すると（Ｓ７：ＹＥＳ）、輸液ポンプ２１０は、再設定された投与速度および投与量に従って、患者への薬剤の投与を開始する（Ｓ８）。
【００４０】
一方、ステップＳ５における照合の結果、輸液ポンプ２１０に設定された投与速度または投与量が、輸液ポンプ２１０にリンクされた薬剤オーダに比して異常を呈していない場合（Ｓ５：ＮＯ）も、輸液ポンプ２１０は、設定された投与速度および投与量に従って、患者への薬剤の投与を開始する（Ｓ８）。
【００４１】
そして、輸液ポンプ２１０による薬剤の投与が薬剤オーダの終了条件を満足すると（Ｓ９：ＹＥＳ）、輸液ポンプ２１０は薬剤の投与を終了し、輸液ポンプモニタリング装置１００は、輸液ポンプ２１０のモニタリングを終了する（Ｓ１０）。ここで、「薬剤オーダの終了条件」としては、例えば、輸液ポンプから投与される薬剤の投与量が、薬剤オーダにより指示される投与量に達すること、および医師により薬剤の投与の終了指示が出されることなどが挙げられる。
【００４２】
以上、輸液ポンプモニタリング装置１００および輸液ポンプ機器２００の動作の一例について説明した。
【００４３】
ところで、発行された薬剤オーダに従った薬剤の投与速度が設定されていても、例えば患者の容態が急変した場合などには、医師の確認の上で、輸液ポンプにおける薬剤の投与速度の設定値を変更する必要が生じうる。輸液ポンプモニタリングシステム１００は、輸液ポンプに設定された投与速度をリアルタイムで検知することができるので、医師による投与速度の変更の認証を自動的に促すことができる。以下、この認証要求処理について、図５を用いて説明する。
【００４４】
図５は、薬剤の投与速度の変更の認証処理時における表示部１７０の一例を示す図である。
【００４５】
図５において、実線部分は、輸液ポンプによって薬剤の投与が行われている期間を示している。薬剤の投与中に輸液ポンプにおいて設定された投与速度が変更されると、この変更の履歴が監視部１３０で取得され、監視部１３０は、この投与速度の変更の認証要求を出力する旨の指示信号を、認証要求部１６０に出力する。
【００４６】
認証要求部１６０は、入力された指示信号に従って、図５の実線部分に薬剤の投与速度の変更が生じたことを示す各種の記号、つまり投与速度の変更の認証要求を表示させる。この例では、表示されたこれらの記号により、薬剤の投与開始、フラッシュ（早送りを含む）、休止・再開、投与速度の変更、および薬剤の投与終了が示されている。医師は、表示されたこれらの記号に対して、例えばダブルクリックなどの簡易な操作を行うだけで、薬剤の投与速度の変更を認証することができる。
【００４７】
このように、認証要求部１６０は、輸液ポンプにおいて設定された薬剤の投与速度の変更履歴を自動的に薬剤オーダの実施記録に反映することにより、薬剤の投与速度の変更の認証要求を発する。また、この認証要求を受けた医師は、極めて簡易な操作を行うことで、認証要求に対する応答を行うことができる。
【００４８】
以上、薬剤の投与速度の変更の認証処理について説明した。
【００４９】
なお、本実施の形態では、輸液ポンプモニタリング装置１００が、薬剤オーダの実施前において設定される薬剤の投与速度および投与量をモニタリングする場合について説明したが、本発明はこれに限定されない。例えば、輸液ポンプモニタリング装置１００は、薬剤オーダ実施中において設定される薬剤の投与速度および投与量をモニタリングすることも当然可能である。また、輸液ポンプモニタリング装置１００は、薬剤オーダの実施前（薬剤の投与前）から薬剤オーダの実施後（薬剤の投与後）までの期間に亘って、輸液ポンプにおいて設定される薬剤の投与速度および投与量をモニタリングすることもできる。
【００５０】
また、本実施の形態では、警報部１５０が、表示部１７０に警報を表示させることにより警報を発するものとして説明したが、本発明はこれに限定されない。例えば、警報部１５０は、輸液ポンプモニタリング装置１００に設けられたスピーカ（図示せず）に音声を発生させることによって、警報を発するようにしてもよい。
【００５１】
なお、本実施の形態では、警報部１５０が、輸液ポンプにおいて設定または計測された薬剤の投与速度の異常に対して警報を発するものとして説明したが、本発明はこれに限定されない。例えば、警報部１５０は、各輸液ポンプの電源のオンオフを検知して、薬剤を投与すべき輸液ポンプの電源がオフの場合に警報を発するようにしてもよい。これにより、輸液ポンプ２１０〜２８０のそれぞれについて、電源の入れ忘れを防止することができる。
【００５２】
また、本実施の形態では、輸液ポンプ機器２００が８つの輸液ポンプを含むものとして説明したが、本発明はこれに限定されない。輸液ポンプ機器２００に含まれる輸液ポンプの数は必要に応じて種々変更可能であり、輸液ポンプ機器２００は、例えば４つまたは１６つの輸液ポンプを含むことができる。
【００５３】
このように、本実施の形態によれば、薬剤オーダ取得部１１０が、輸液ポンプ２１０〜２８０のいずれかに対して指示される薬剤の投与速度または投与量を取得し、監視部１３０が、このいずれかの輸液ポンプにおいて設定または計測された薬剤の投与速度または投与量を取得し、警報部１５０が、設定もしくは計測された投与速度が指示された投与速度に比して異常を呈する場合、または設定もしくは計測された投与量が指示された投与量に比して異常を呈する場合に、警報を発する。これにより、輸液ポンプにおける薬剤の投与速度および投与量が、薬剤オーダによる指示と合致しているか否かを確認することができ、薬剤オーダの設定における人為的ミス、ひいては医療事故を防止することができる。
【００５４】
また、伝送路Ｌを介した輸液ポンプモニタリング装置１００と輸液ポンプ機器２００との連携により、複数の輸液ポンプ機器２１０〜２８０の状況を自動的に把握し、表示部１７０に表示することができる。これにより、予定している薬剤オーダと、輸液ポンプとの結びつきを視覚的に確認しつつ、簡易な操作方法で実現することができる。
【図面の簡単な説明】
【００５５】
【図１】本発明の一実施の形態に係る輸液ポンプモニタリング装置および輸液ポンプ機器の構成を示すブロック図
【図２】薬剤オーダと輸液ポンプとの対応付け処理時における表示部の一例を示す図
【図３】薬剤オーダと輸液ポンプとの対応付け処理時における表示部の他の例を示す図
【図４】輸液ポンプモニタリング装置による輸液ポンプ機器のモニタリング処理の一例を示すフローチャート
【図５】薬剤の投与速度の変更の認証処理時における表示部の一例を示す図
【符号の説明】
【００５６】
１００  輸液ポンプモニタリング装置
１１０  薬剤オーダ取得部
１２０  薬剤オーダ保持部
１３０  監視部
１４０  照合部
１５０  警報部
１６０  認証要求部
１７０  表示部
２００  輸液ポンプ機器
２１０，２２０，２３０，２４０，２５０，２６０，２７０，２８０  輸液ポンプ
【図１】
2008099977.tif 000003
【図２】
2008099977.tif 000004
【図３】
2008099977.tif 000005
【図４】
2008099977.tif 000006
【図５】
2008099977.tif 000007